(57)【要約】 【課題】電流差動リレーシステムに多数の電流差動リレーが設けられている場合であっても、電流差動リレー間で電流データを送受信し、各電流差動リレーの受信処理を軽減し、かつ、ネットワークの負荷を軽減することが可能な電流差動リレーを提供する。【解決手段】電流差動リレーは、インタフェース部、量子化部、通信部及び差動演算部を具備する。量子化部は、インタフェース部により受信された電流を量子化し、第１の電流データに変換する。通信部は、第１のグループの代表電流差動リレーである場合、第１のグループに属する他の電流差動リレーからの第２の電流データと第１の電流データとを併せて第２のグループに属する代表電流差動リレーへ送信し、代表電流差動リレーからの第３の電流データを受信し、第３の電流データを他の電流差動リレーへ送信する。差動演算部は、前記第１乃至第３の電流データに基づいて電流差動演算を実行する。【選択図】図３
2014054063.tif 000002
【特許請求の範囲】
【請求項１】
複数の電流差動リレーにより、施設を結ぶ送電線を保護する電流差動リレーシステムで用いられる電流差動リレーにおいて、
前記送電線から供給される電流を受信するインタフェース部と、
前記受信した電流を量子化し、第１の電流データに変換する量子化部と、
前記複数の電流差動リレーのうちいくつかの電流差動リレーから形成される第１のグループの代表電流差動リレーである場合、前記第１のグループに属する他の電流差動リレーからの第２の電流データを受信し、前記第２の電流データと、前記第１の電流データとを併せて第２のグループに属する代表電流差動リレーへ送信し、前記代表電流差動リレーからの第３の電流データを受信し、前記第３の電流データを前記他の電流差動リレーへ送信する通信部と、
前記第１乃至第３の電流データに基づいて電流差動演算を実行する差動演算部と
を具備することを特徴とする電流差動リレー。
【請求項２】
前記通信部は、前記第１のグループの代表電流差動リレーでない場合、前記第１のグループに属する他の電流差動リレー及び代表電流差動リレーへ、前記第１の電流データを送信し、前記他の電流差動リレーからの第２の電流データと、前記第２のグループに属する代表電流差動リレーからの第３の電流データとを受信することを特徴とする請求項１記載の電流差動リレー。
【請求項３】
前記量子化部は、前記複数の電流差動リレー間で共通する同期信号に従って、前記受信した電流を前記第１の電流データに変換することを特徴とする請求項２記載の電流差動リレー。
【請求項４】
通信負荷を検知する検知部と、
前記検知した通信負荷の増加度が予め設定した閾値増加度を超えた場合、代表電流差動リレーを、前記第１のグループに属する他の電流差動リレーへ切り替える制御部と
をさらに具備することを特徴とする請求項２記載の電流差動リレー。
【請求項５】
前記通信部は、前記第１のグループが一要素となって形成される第１の上位グループの大代表電流差動リレーである場合、前記第１の上位グループに属する他の代表電流差動リレーからの第３の電流データを受信し、前記第３の電流データと、前記第１のグループの第１及び第２の電流データとを併せて第２の上位グループに属する大代表電流差動リレーへ送信し、前記大代表電流差動リレーからの第４の電流データを受信し、前記第４の電流データを前記他の代表電流差動リレーへ送信することを特徴とする請求項２記載の電流差動リレー。
【請求項６】
通信負荷を検知する検知部と、
前記検知した通信負荷が予め設定した閾値を下回った場合、前記第１の上位グループに属する他の電流差動リレー間のデータ伝送をマルチキャスト伝送に切り替える制御部と
をさらに具備することを特徴とする請求項５記載の電流差動リレー。
【請求項７】
複数の電流差動リレーにより、施設を結ぶ送電線を保護する電流差動リレーシステムにおいて、
前記電流差動リレーは、
前記送電線から供給される電流を受信するインタフェース部と、
前記受信した電流を量子化し、第１の電流データに変換する量子化部と、
前記複数の電流差動リレーのうちいくつかの電流差動リレーから形成される第１のグループの代表電流差動リレーである場合、前記第１のグループに属する他の電流差動リレーからの第２の電流データを受信し、前記第２の電流データと、前記第１の電流データとを併せて第２のグループに属する代表電流差動リレーへ送信し、前記代表電流差動リレーからの第３の電流データを受信し、前記第３の電流データを前記他の電流差動リレーへ送信する通信部と、
前記第１乃至第３の電流データに基づいて電流差動演算を実行する差動演算部と
を具備することを特徴とする電流差動リレーシステム。
【請求項８】
前記通信部は、前記第１のグループの代表電流差動リレーでない場合、前記第１のグループに属する他の電流差動リレー及び代表電流差動リレーへ、前記第１の電流データを送信し、前記他の電流差動リレーからの第２の電流データと、前記代表電流差動リレーからの第３の電流データとを受信することを特徴とする請求項７記載の電流差動リレーシステム。
【請求項９】
前記第１のグループに属する電流差動リレー及び代表電流差動リレーと、前記第２のグループに属する代表電流差動リレーとは、非同期通信網で接続され、
前記第２のグループに属する代表電流差動リレーと、前記第２のグループに属する電流差動リレーとは、同期通信網で接続されることを特徴とする請求項８記載の電流差動リレーシステム。
【発明の詳細な説明】
【技術分野】
【０００１】
本発明の実施形態は、複数の電流差動リレーにより、変電所を結ぶ送電線を保護する電流差動リレーシステムと、このシステムで用いられる電流差動リレーとに関する。
【背景技術】
【０００２】
従来の電流差動リレーシステムで用いられる多端子の電流差動リレー間の電流データの伝送方式としては以下がある。まず、各電流差動リレーが他の全ての電流差動リレーと個別に通信路を設け、電流データの送受信を実施する一対一伝送である。次に、例えばＬＡＮ（Local Area Network）のような通信路を設け、各電流差動リレーがＬＡＮを介して他の全ての電流差動リレーへ電流データを送信するマルチキャスト伝送である。次に、全ての電流差動リレーが一つのループ状の通信路で接続され、各電流差動リレーが、通信路を予め決められた方向に伝送される電流データを受信し、受信した電流データに自端子の電流データを乗せて次の電流差動リレーへ送信するバケツリレー方式伝送である。そして、代表する電流差動リレーに電流データを集結させる代表端子判定伝送である。代表端子判定伝送は、一対一伝送、マルチキャスト伝送及びバケツリレー方式伝送の何れも採用することが不可能な場合に採用される。なお、代表端子判定伝送において、事故が検出された場合、代表の電流差動リレーは、事故除去のための遮断器トリップ信号を、電流データ収集のために使用される通信路を利用して各電流差動リレーへ送信する。
【先行技術文献】
【特許文献】
【０００３】
【特許文献１】特開２００９−２８４７５８号公報
【発明の概要】
【発明が解決しようとする課題】
【０００４】
しかしながら、上記の伝送方式ではそれぞれ下記のような課題がある。すなわち、一対一伝送では、通信処理及び通信量が多く、電流差動リレーシステムに設けられる電流差動リレーの数に限界がある。マルチキャスト伝送では、電流差動リレーシステムに設けられる電流差動リレーの数が多くなると、各電流差動リレーにおける受信処理が増加する。バケツリレー方式伝送では、電流差動リレーシステムに設けられる電流差動リレーの数が多くなると、伝送遅れ時間の累積が大きくなる。代表端子判定伝送では、電流差動リレーシステムに設けられる電流差動リレーの数が多くなると、代表の電流差動リレーにおける受信処理が増加する。
【０００５】
そこで、目的は、電流差動リレーシステムに多数の電流差動リレーが設けられている場合であっても、電流差動リレー間で電流データを送受信し、各電流差動リレーの受信処理を軽減し、かつ、ネットワークの負荷を軽減することが可能な電流差動リレーシステムと、このシステムで用いられる電流差動リレーとを提供することにある。
【課題を解決するための手段】
【０００６】
実施形態によれば、複数の電流差動リレーにより、施設を結ぶ送電線を保護する電流差動リレーシステムで用いられる電流差動リレーは、インタフェース部、量子化部、通信部及び差動演算部を具備する。インタフェース部は、前記送電線から供給される電流を受信する。量子化部は、前記受信した電流を量子化し、第１の電流データに変換する。通信部は、前記複数の電流差動リレーのうちいくつかの電流差動リレーから形成される第１のグループの代表電流差動リレーである場合、前記第１のグループに属する他の電流差動リレーからの第２の電流データを受信し、前記第２の電流データと、前記第１の電流データとを併せて第２のグループに属する代表電流差動リレーへ送信し、前記代表電流差動リレーからの第３の電流データを受信し、前記第３の電流データを前記他の電流差動リレーへ送信する。差動演算部は、前記第１乃至第３の電流データに基づいて電流差動演算を実行する。
【図面の簡単な説明】
【０００７】
【図１】本実施形態に係る電流差動リレーシステムの構成を示す図である。
【図２】図１に示す電流差動リレーの機能構成を示すブロック図である。
【図３】図１に示す電流差動リレーシステムにおいて構成されるグループの例を示す図である。
【図４】図３に示すグループ間の通信網の例を示す図である。
【図５】３階層の電流差動リレーシステムの構成例を示す図である。
【図６】図１に示す電流差動リレーの機能構成のその他の例を示すブロック図である。
【図７】図３に示す階層構造が切り替わる際の例を示す図である。
【図８】図５に示す階層構造が切り替わる際の例を示す図である。
【発明を実施するための形態】
【０００８】
以下、実施の形態について、図面を参照して説明する。図１は、本実施形態に係る電流差動リレーシステムの構成を示す概念図である。図１に示す電流差動リレーシステムでは、九個の変電所１００〜９００を結ぶ送電線を保護するため、各変電所にはそれぞれ電流差動リレー１０〜９０が設置される。電流差動リレー１０〜９０は、ギガビットイーサネット（登録商標）等の通信ネットワークによりそれぞれ接続される。
【０００９】
図２は、本実施形態に係る電流差動リレー１０の機能構成を示すブロック図である。なお、電流差動リレー１０〜９０の動作はそれぞれ同様であるため、図２では、電流差動リレー１０について代表して説明する。図２に示す電流差動リレー１０は、インタフェース部１１、量子化部１２、通信部１３、差動演算部１４及び制御部１５を備える。
【００１０】
インタフェース部１１は、送電線を流れる電流を取り込む。
【００１１】
量子化部１２は、インタフェース部１１により電流が取り込まれると、制御部１５から供給される同期信号に従い、取り込んだ電流を量子化し、電流データを作成する。
【００１２】
通信部１３は、制御部１５からの送信制御に従い、量子化部１２で作成された電流データを所定の電流差動リレーへ送信する。また、通信部１３は、他の電流差動リレーから送信された電流データを受信する。
【００１３】
差動演算部１４は、通信部１３で他の電流差動リレーからの電流データが受信されると、自器の電流データと、他の電流差動リレーからの電流データとに基づいて電流差動演算を実行する。
【００１４】
制御部１５は、例えば、ＣＰＵ（Central Processing Unit）と、ＲＯＭ（Read Only Memory）及びＲＡＭ（Random Access Memory）等のメモリとを有する。制御部１５は、ＣＰＵに所定のプログラムを実行させることで、電流差動リレー内の動作を制御する。
【００１５】
自器が全電流差動リレーのうちいずれかの電流差動リレーにより構成されるグループの代表電流差動リレーである場合、制御部１５のメモリには、自器が代表電流差動リレーであることが登録される。また、メモリには、グループを構成する電流差動リレーと、他のグループの代表電流差動リレーとが登録される。
【００１６】
自器が代表電流差動リレーでない場合には、メモリには、グループを構成する電流差動リレー及び代表電流差動リレーが登録される。なお、メモリには、自器が代表電流差動リレーであるか否かに関らず、前記代表電流差動リレーの位置情報が記録されている。ここで、位置情報とは、例えば、ＩＰアドレス等のことを示す。
【００１７】
なお、グループ内の電流差動リレーのうち、いずれを代表電流差動リレーとするかは、システムの管理人が予め手動で設定するか、予め設定した条件に従い、制御部１５が自動的に設定する。
【００１８】
制御部１５は、量子化部１２での量子化タイミングを一致させるため、量子化部１２に対して同期信号を出力する。例えば、制御部１５は、ＧＰＳ（Global Positioning System）等の外部標準信号に基づいて同期信号を作成し、作成した同期信号を量子化部１２へ出力する。
【００１９】
制御部１５は、自器が代表電流差動リレーであるか否かに応じた送信制御を通信部１３に対して行い、電流データをメモリに記録される位置情報により指定される電流差動リレーへ送信させる。
【００２０】
具体的には、自器が代表電流差動リレーである場合、制御部１５は、グループ内の他の電流差動リレーから送信された電流データと、量子化部１２で作成された電流データとを併せ、併せた電流データを他のグループの代表電流差動リレーへ送信するように通信部１３を制御する。また、制御部１５は、他のグループの代表電流差動リレーから送信された電流データを、グループ内の他の電流差動リレーへ送信する。
【００２１】
自器が代表電流差動リレーでない場合、制御部１５は、量子化部１２で作成された電流データを、グループ内の他の電流差動リレーへ送信するように通信部１３を制御する。
【００２２】
次に、上記構成の電流差動リレーシステムの動作を詳細に説明する。図３は、電流差動リレーシステムにおいて構成されるグループの例を示す図である。
【００２３】
図３において、電流差動リレー１０〜３０はグループＡを形成し、このうち電流差動リレー３０が代表電流差動リレーである。つまり、電流差動リレー１０，２０の制御部１５のメモリには、電流差動リレー３０が代表電流差動リレーとして登録される。また、代表電流差動リレー３０の制御部１５のメモリには、自器が代表電流差動リレーであることが記録されると共に、電流差動リレー１０，２０がグループＡの電流差動リレーであること、及び、電流差動リレー６０，７０がグループＢ，Ｃの代表電流差動リレーであることが登録される。
【００２４】
また、電流差動リレー４０〜６０はグループＢを形成し、このうち電流差動リレー６０が代表電流差動リレーである。つまり、電流差動リレー４０，５０の制御部１５のメモリには、電流差動リレー６０が代表電流差動リレーとして登録される。また、代表電流差動リレー６０の制御部１５のメモリには、自器が代表電流差動リレーであることが記録されると共に、電流差動リレー４０，５０がグループＢの電流差動リレーであること、及び、電流差動リレー３０，７０がグループＡ，Ｃの代表電流差動リレーであることが登録される。
【００２５】
また、電流差動リレー７０〜９０はグループＣを形成し、このうち電流差動リレー７０が代表電流差動リレーである。つまり、電流差動リレー８０，９０の制御部１５のメモリには、電流差動リレー７０が代表電流差動リレーとして登録される。また、代表電流差動リレー７０の制御部１５のメモリには、自器が代表電流差動リレーであることが記録されると共に、電流差動リレー８０，９０がグループＣの電流差動リレーであること、及び、電流差動リレー３０，６０がグループＡ，Ｂの代表電流差動リレーであることが登録される。
【００２６】
図３において、例えば、グループＡにおける動作を説明する。
【００２７】
電流差動リレー１０は、量子化部１２で作成した電流データを、電流差動リレー２０及び代表電流差動リレー３０へ送信する。電流差動リレー２０は、量子化部１２で作成した電流データを、電流差動リレー１０及び代表電流差動リレー３０へ送信する。代表電流差動リレー３０は、電流差動リレー１０，２０から送信された電流データに自器で作成された電流データを併せ、併せた電流データをグループＢの代表電流差動リレー６０と、グループＣの代表電流差動リレー７０とへ送信する。
【００２８】
また、代表電流差動リレー３０は、グループＢの代表電流差動リレー６０と、グループＣの代表電流差動リレー７０とから送信される電流データを受信する。このとき、代表電流差動リレー６０からの電流データには、電流差動リレー４０〜６０の電流データが併せられており、代表電流差動リレー７０からの電流データには、電流差動リレー７０〜９０の電流データが併せられている。代表電流差動リレー３０は、差動演算部１４により、電流差動リレー１０〜９０の電流データに基づいて電流差動演算を実行する。代表電流差動リレー３０は、電流差動リレー３０〜９０からの電流データを電流差動リレー１０，２０へ送信する。
【００２９】
電流差動リレー１０は、代表電流差動リレー３０から送信される電流差動リレー３０〜９０の電流データと、電流差動リレー２０から送信される電流差動リレー２０の電流データとを受信する。電流差動リレー１０は、差動演算部１４により、電流差動リレー１０〜９０からの電流データに基づいて電流差動演算を実行する。電流差動リレー２０は、代表電流差動リレー３０から送信される電流差動リレー３０〜９０の電流データと、電流差動リレー１０から送信される電流差動リレー１０の電力データとを受信する。電流差動リレー２０は、差動演算部１４により、電流差動リレー１０〜９０からの電流データに基づいて電流差動演算を実行する。
【００３０】
以上のように、本実施形態では、複数の電流差動リレーを複数のグループに分け、グループ毎に代表電流差動リレーを設定する。代表電流差動リレーは、自グループの電流差動リレーの電流データを、他の代表電流差動リレーへ送信する。また、代表電流差動リレーは、他グループの電流差動リレーの電流データを他グループの代表電流差動リレーから受信する。グループ内の電流差動リレーは、自グループの他の電流差動リレーからの電流データと、自グループの代表電流差動リレーからの電流データを受信する。これにより、電流差動リレーシステムは、１回の通信における通信対象を限定し、かつ、電流差動リレー間の通信回数を減少させることが可能となる。
【００３１】
したがって、本実施形態に係る電流差動リレーシステムによれば、多数の電流差動リレーが設けられている場合であっても、各電流差動リレーの受信処理を軽減させ、かつ、ネットワークの負荷を軽減しつつ、各電流差動リレーに、全電流差動リレーの電流データを取得させることができる。このため、本実施形態に係る電流差動リレーシステムによれば、大規模保護システムの実現が可能となる。また、本実施形態に係る電流差動リレーシステムを、広範囲の多数端子の電流・電圧データが必要となる広域バックアップ保護システムの構築に応用すれば、大規模なシステムをネットワークの増強をせずとも構築することができる。
【００３２】
また、量子化部１２は、制御部１５から供給される同期信号に従って電流を量子化するようにしている。これにより、全電流差動リレーが同一時刻の電流データを用いて電流差動演算を実施することが可能となる。
【００３３】
なお、上記実施形態では、電流差動リレー１０〜９０が例えば、ギガビットイーサネット等の非同期通信ネットワークにより接続される場合を例に説明した。しかしながら、これに限定される訳ではない。例えば、図４に示すように、電流差動リレー１０〜９０の間の通信方式が一様でない場合であっても構わない。例えば、グループＡ，Ｂを構成する電流差動リレー１０〜７０がギガビットイーサネットにより接続され、グループＣを構成する電流差動リレー７０〜９０が既存の通信方式、例えば同期通信網等の６４ｋｂｐｓのマイクロ波ＰＣＭ伝送で接続されていても構わない。代表電流差動リレー７０がギガビットイーサネットのポートを有していれば、電流差動リレー１０〜９０は、他の全ての電流差動リレーの電流データを取得することが可能となる。
【００３４】
また、上記実施形態では、電流差動リレーが九個の場合を例に説明しているが、電流差動リレーの数は九個に限定される訳ではない。
【００３５】
また、上記実施形態では、電流差動リレーが、代表電流差動リレーと、その他の電流差動リレーとの２階層で接続される例を説明した。しかしながら、これに限定される訳ではない。例えば、図５は、電流差動リレーが２７個設置され、３階層の電流差動リレーシステムが構成される場合の例を示す図である。図５において、まず、２７個の電流差動リレーは、３個ずつ９個のグループＡ−１，Ａ−２，Ａ−３，Ｂ−１，Ｂ−２，Ｂ−３，Ｃ−１，Ｃ−２，Ｃ−３に分けられる。このとき、グループ毎にそれぞれ代表電流差動リレー３１，３２，３３，６１，６２，６３，７１，７２，７３が設定される。９個のグループは、グループＡ−１，Ａ−２，Ａ−３で１個の大グループＡを形成し、グループＢ−１，Ｂ−２，Ｂ−３で大グループＢを形成し、グループＣ−１，Ｃ−２，Ｃ−３で大グループＣを形成する。大グループＡ，Ｂ，Ｃでは、大代表電流差動リレー３１，６１，７１がそれぞれ設定される。各大代表電流差動リレーは、同一の大グループの代表電流差動リレー、及び、他の大グループの大代表電流差動リレーと通信を行うことで、図３と同様の通信を行う。これにより、３階層で構成される全端子判定方式の電流差動リレーシステムが実現することになる。
【００３６】
また、本実施形態に係る電流差動リレー１０〜９０は、図６に示すように、自器の通信負荷を検知する検知部１６をさらに備えるようにしても構わない。このとき、電流差動リレー１０〜９０における制御部１５は、通信負荷が急増した場合、つまり、通信負荷の増加度が予め設定した閾値増加度を超えた場合に、代表を他の電流差動リレーへ切り替える第１の切替機能を備えていても良い。制御部１５のメモリには、グループ内の電流差動リレーを対象として、代表を交換する順序がさらに記録されている。
【００３７】
具体例を、図７を用いて説明する。図７において代表電流差動リレーのメモリには、電流差動リレー２０が電流差動リレー１０よりも先に代表となるように、予め順序が設定されている。代表電流差動リレー３０の通信負荷が急増した場合、代表電流差動リレー３０の検知部１６は、通信負荷が急増したことを検知し、その旨を制御部１５へ通知する。代表電流差動リレー３０の制御部１５は、検知部１６からの通知を受けると、第１の切替機能により、電流差動リレー２０に代表を切り替える旨を電流差動リレー１０，２０へ通知する。電流差動リレー３０の制御部１５は、第１の切替機能により、自器が代表である登録を解除すると共に、電流差動リレー２０を新たな代表電流差動リレーとして設定する。
【００３８】
新たな代表電流差動リレー２０における制御部１５は、電流差動リレー３０からの通知を受けると、第１の切替機能により、メモリに自器が代表であることを登録すると共に、他のグループの代表電流差動リレー６０，７０を登録する。これにより、図７に示されるように、代表電流差動リレー３０の通信負荷が急増等した場合には、代表電流差動リレーが自動的に電流差動リレー２０へ切り替わることになる。
【００３９】
また、本実施形態に係る電流差動リレー１０〜９０における制御部１５は、通信負荷の大きさに応じてグループの構成を切り替える第２の切替機能を備えていても良い。
【００４０】
具体例を、図８を用いて説明する。図８（ａ）において、大代表電流差動リレー３１，６１，７１の検知部１６は、通信負荷が予め設定した閾値以下となったことを検知すると、その旨を自リレーの制御部１５へ通知する。大代表電流差動リレー３１の制御部１５は、検知部１６からの通知を受けると、第２の切替機能により、グループＡ−２，Ａ−３の代表電流差動リレー３２，３３へ、グループＡ−１〜Ａ−３を、九個の電流差動リレーがマルチキャスト伝送を行うグループＡ’に切り替えるように指示を出す。また、大代表電流差動リレー６１の制御部１５は、検知部１６からの通知を受けると、第２の切替機能により、グループＢ−２，Ｂ−３の代表電流差動リレー６２，６３へ、グループＢ−１〜Ｂ−３を、九個の電流差動リレーがマルチキャスト伝送を行うグループＢ’に切り替えるように指示を出す。また、大代表電流差動リレー７１の制御部１５は、検知部１６からの通知を受けると、第２の切替機能により、グループＣ−２，Ｃ−３の代表電流差動リレー７２，７３へ、グループＣ−１〜Ｃ−３を、九個の電流差動リレーがマルチキャスト伝送を行うグループＣ’に切り替えるように指示を出す。
【００４１】
また、図８（ｂ）において、大代表電流差動リレー３１，６１，７１の検知部１６は、通信負荷が予め設定した閾値を超えたことを検知すると、その旨を各リレーの制御部１５へ通知する。大代表電流差動リレー３１の制御部１５は、検知部１６からの通知を受けると、第２の切替機能により、電流差動リレー３２，３３へ、グループＡ’を電流差動リレー３１，３２，３３をそれぞれ代表電流差動リレーとするグループＡ−１〜Ａ−３へ切り替えるように指示を出す。また、大代表電流差動リレー６１の制御部１５は、検知部１６からの通知を受けると、第２の切替機能により、電流差動リレー６２，６３へ、グループＢ’を電流差動リレー６１，６２，６３をそれぞれ代表電流差動リレーとするグループＢ−１〜Ｂ−３へ切り替えるように指示を出す。また、大代表電流差動リレー７１の制御部１５は、検知部１６からの通知を受けると、第２の切替機能により、電流差動リレー７２，７３へ、グループＣ’を電流差動リレー７１，７２，７３をそれぞれ代表電流差動リレーとするグループＣ−１〜Ｃ−３へ切り替えるように指示を出す。
【００４２】
このように、通信が高負荷時のときはネットワークへの負担を軽減するために階層構成をとるが、低負荷時には九個の電流差動リレー間でマルチキャスト伝送を行うグループＡ’〜Ｃ’を構成する。そして、グループＡ’〜Ｃ’の大代表電流差動リレー３１，６１，７１間でグループ間の電流データの送受信を実施することで、各電流差動リレーが他の全ての電流差動リレーの電流データを獲得するようにしている。
【００４３】
また、上記実施形態では、３個の電流差動リレーにより１階層のグループを形成する場合を例に説明したが、これに限定される訳ではない。階層数及び１階層のグループを形成するリレーの数は、通信のトラフィック負荷と、全リレーに電流データが与えられる時間との両要素を考慮し、電流差動リレーシステム毎に、これらの要素が最適になるように設定される。
【００４４】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４５】
１０〜９０…電流差動リレー、１１…インタフェース部、１２…量子化部、１３…通信部、１４…差動演算部、１５…制御部、１６…検知部、１００〜９００…変電所
【図１】
2014054063.tif 000003
【図２】
2014054063.tif 000004
【図３】
2014054063.tif 000005
【図４】
2014054063.tif 000006
【図５】
2014054063.tif 000007
【図６】
2014054063.tif 000008
【図７】
2014054063.tif 000009
【図８】
2014054063.tif 000010